(57)【要約】      （修正有）【課題】低音域において高い再生音圧が得られると共に生産効率向上が図れるイヤホンを提供する。【解決手段】後面に開口部５ａ２ａを有するドライバユニット５と、ドライバユニットを内部に収容したハウジング部と、ドライバユニットの後面が面するバックキャビティＶａと、バックキャビティに面するダクト部とを有する本体部を備える。ダクト部は一端側がバックキャビティに開口し、他端側が外部空間Ｖｇに開口する複数の通気経路ＴＫａ、ＴＫｂ、ＴＫｃと、複数の通気経路の任意の通気経路を開閉可能な弁部材ＶＢ（開閉弁ＶＢａ、ＶＢｂ、ＶＢｃ）を備えた。【選択図】図１７
2018067793.tif 000002
【特許請求の範囲】
【請求項１】
後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、
一端側が前記バックキャビティに開口し、他端側が外部空間に開口する複数の通気経路と、
前記複数の通気経路の任意の通気経路を開閉可能な弁部材と、
を備えたことを特徴とするイヤホン。
【請求項２】
前記弁部材は、前記複数の通気経路を、一つずつ独立して開状態にして前記外部空間と連通させることを特徴とする請求項１記載のイヤホン。
【請求項３】
後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、板状のダクトプレートと、ダクトプレートの一面側に配置されたシート部材と、前記シート部材に対し前記ダクトプレートの反対側に配置された弁部材と、を有し、
前記ダクトプレートは、
前記一面側に開口した溝と、前記溝の一端部に形成され前記溝と他面側とを連通するプレート連通孔と、を有し、
前記シート部材は、前記溝の開口を覆うと共に前記溝の他端部に連通する連通孔を有し、
前記プレート連通孔の前記他面側は前記バックキャビティに連通し、
前記弁部材は、前記シート部材の連通孔を開閉するよう構成されているイヤホン。
【請求項４】
前記弁部材は、円板状に形成され、
前記ダクトプレートと前記シート部材と前記弁部材とは一軸線方向に積層配置され、
前記弁部材は、前記一軸線まわりに回動させたときに、所定の回動位置で前記シート部材の前記連通孔に連通する貫通孔を有することを特徴とする請求項３記載のイヤホン。
【請求項５】
前記ダクトプレートと前記シート部材と前記弁部材とは、一方向に積層配置され、
前記弁部材は、前記一方向と交差する方向に移動可能とされ、所定の移動位置で前記シート部材の前記連通孔に連通する貫通孔を有することを特徴とする請求項３記載のイヤホン。
【請求項６】
前記ダクトプレートは、前記溝と前記プレート連通孔との組を複数有し、
前記シート部材は、前記連通孔を、複数の前記溝それぞれの他端部に連通するよう複数有し、
前記弁部材は、複数の前記連通孔の内の任意の孔を開閉可能とされていることを特徴とする請求項３記載のイヤホン。
【請求項７】
前記弁部材は、円板状に形成され、
前記ダクトプレートと前記シート部材と前記弁部材とが一軸線方向に積層配置され、
前記弁部材を前記一軸線まわりに回動させたときに、複数の回動位置のそれぞれにおいて、複数の前記連通孔の内の任意の孔と連通する貫通孔を有することを特徴とする請求項５記載のイヤホン。
【請求項８】
前記ダクトプレートと前記シート部材と前記弁部材とが一軸線方向に積層配置され、
前記弁部材は、円板状に形成されると共に前記一軸線まわりに回動可能とされ、複数の回動位置それぞれにおいて、複数の前記連通孔の内の異なる連通孔又は異なる組み合わせの複数の連通孔と連通する貫通孔を有することを特徴とする請求項６記載のイヤホン。
【請求項９】
前記ダクトプレートと前記シート部材と前記弁部材とは、一方向に積層配置され、
前記弁部材は、前記一方向と交差する方向に移動可能とされ、複数の移動位置それぞれにおいて、複数の前記連通孔の内の異なる連通孔又は異なる組み合わせの複数の連通孔と連通する貫通孔を有することを特徴とする請求項６記載のイヤホン。
【請求項１０】
前記弁部材は、前記ダクト部に対して着脱可能であることを特徴とする請求項１又は請求項３記載のイヤホン。
【発明の詳細な説明】
【技術分野】
【０００１】
本発明は、イヤホンに係り、特に、低音域において高い再生音圧が得られるイヤホンに関する。
【背景技術】
【０００２】
イヤホンにおいて、筐体に、ドライバユニットの後面から放出された音を外部に放出させる音響ダクトを突出形成して、低音域の再生音圧を増加させる技術が知られている。その一例が特許文献１に記載されている。
【先行技術文献】
【特許文献】
【０００３】
【特許文献１】特許第２８６７８９８号公報
【発明の概要】
【発明が解決しようとする課題】
【０００４】
特許文献１に記載された、筐体から長く突出する音響ダクトを有するイヤホンは、音響ダクトを搭載していることが視覚的に明らかになる反面、個性的な外観デザインになる。そのため、一般ユーザにとってはデザインを受け入れにくい、という点で改善の余地があった。
【０００５】
また、ドライバユニットを、音響特性の異なるものに変更して同じ筐体に搭載しようとした場合、筐体が変更前のドライバユニットに最適化された音響ダクトを有することから、変更後のドライバユニットに合わせる音質調整が難しい。
そのため、異種のドライバユニットに対する筐体の共有化が図りにくく、生産効率向上の観点で改善の余地があった。
【０００６】
そこで、本発明が解決しようとする課題は、ダクトを備えて低音域において高い再生音圧が得られると共に、一般ユーザにとって受け入れられ易い外観デザインが可能で、生産効率向上が図れるイヤホンを提供することにある。
【課題を解決するための手段】
【０００７】
上記の課題を解決するために、本発明は次の構成を有する。
１）  後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、
一端側が前記バックキャビティに開口し、他端側が外部空間に開口する複数の通気経路と、
前記複数の通気経路の任意の通気経路を開閉可能な弁部材と、
を備えたことを特徴とするイヤホンである。
２）  後面に開口部を有するドライバユニットと、
前記ドライバユニットを内部に収容したハウジング部と、前記ドライバユニットの後面が面するバックキャビティと、前記バックキャビティに面するダクト部と、を有する本体部と、
を備え、
前記ダクト部は、板状のダクトプレートと、ダクトプレートの一面側に配置されたシート部材と、前記シート部材に対し前記ダクトプレートの反対側に配置された弁部材と、を有し、
前記ダクトプレートは、
前記一面側に開口した溝と、前記溝の一端部に形成され前記溝と他面側とを連通するプレート連通孔と、を有し、
前記シート部材は、前記溝の開口を覆うと共に前記溝の他端部に連通する連通孔を有し、
前記プレート連通孔の前記他面側は前記バックキャビティに連通し、
前記弁部材は、前記シート部材の連通孔を開閉するよう構成されているイヤホンである。
【発明の効果】
【０００８】
本発明によれば、ダクトを備えて低音域において高い再生音圧が得られると共に、低音域の一般ユーザにとって受け入れられ易い外観デザインが可能で、生産効率向上が図れる。
【図面の簡単な説明】
【０００９】
【図１】図１は、本発明の実施の形態に係るイヤホンの実施例であるイヤホン５１の斜視図である。
【図２】図２は、イヤホン５１の左側面図である。
【図３】図３は、イヤホン５１の上面図である。
【図４】図４は、図３におけるＳ４−Ｓ４位置での断面図である。
【図５】図５は、イヤホン５１に用いる連通シート２１の平面図である。
【図６】図６は、イヤホン５１に用いる第１ダクトプレート２２の平面図である。
【図７】図７は、図６におけるＳ７−Ｓ７位置での断面図である。
【図８】図８は、図６におけるＳ８−Ｓ８位置での断面図である。
【図９】図９は、イヤホン５１に用いる第２ダクトプレート２３の平面図である。
【図１０】図１０は、図９におけるＳ１０−Ｓ１０位置での断面図である。
【図１１】図１１は、イヤホン５１が備えるダクト体ＤＴが有する通気経路ＴＫｃを説明するためのダクト体ＤＴの組立図である。
【図１２】図１２は、ダクト体ＤＴが有する通気経路ＴＫｂを説明するためのダクト体ＤＴの組立図である。
【図１３】図１３は、ダクト体ＤＴが有する通気経路ＴＫａを説明するためのダクト体ＤＴの組立図である。
【図１４】図１４は、ダクト体ＤＴが有する選択板１５の斜視図である。
【図１５】図１５は、ダクト体ＤＴにおいて選択板１５に置き換え可能な選択板１５Ａの平面図である。
【図１６】図１６は、選択板１５Ａによって選択可能なダクトモードを説明するための図である。
【図１７】図１７は、イヤホン５１の通気経路構成を説明するための模式図である。
【図１８】図１８は、選択板１５Ｂ１，１５Ｂ２によって選択可能なダクトモードを説明するための図である。
【発明を実施するための形態】
【００１０】
本発明の実施の形態に係るイヤホンをイヤホン５１により説明する。
まず、イヤホン５１の構造を、図１〜図４を参照して説明する。
図１はイヤホン５１を右後方斜め上から見た斜視図である。図２はイヤホン５１の左側面図である。図３はイヤホン５１の上面図である。図４は、図３におけるＳ４−Ｓ４位置での断面図である。
【００１１】
前後左右上下の各方向は、図１〜図３に矢印により示した方向で規定する。
すなわち、説明するイヤホン５１は、左耳用であって、耳への装着状態で左方が顔側、右方が後頭部側となる。左右方向及び上下方向は、イヤホン５１を、使用者が起立して左耳に装着した状態での、それぞれ水平方向及び上下方向に概ね対応する。
【００１２】
イヤホン５１は、イヤーピース４を外耳道に挿入して使用するいわゆるカナル型である。
【００１３】
図１及び図２に示されるように、イヤホン５１は、下方に延出するブッシング１３が形成された本体部１を有する。ブッシング１３の下方先端からはコード３が外部に引き出されている。
【００１４】
本体部１は、中心軸を前後方向に延びる中心軸線ＣＬ１として前後方向に扁平な円筒状に形成されているハウジング部１１と、ハウジング部１１の後部から斜め上方に延びる中心軸線ＣＬ２を中心軸とする扁平円筒状のダクト部１２と、ハウジング部１１及びダクト部１２に接続して下方に延びる既述のブッシング１３を、を有する。
【００１５】
ハウジング部１１は、前側の前ハウジング１１ａと、ダクト部１２が接続する部分とブッシング１３とを形成する後ハウジング１１ｂと、意匠上のアクセントとして視認される環状のオーナメントリング６と、を有する。
【００１６】
前ハウジング１１ａと後ハウジング１１ｂとは、合わせ位置Ｐ１において、外周縁部に環状のオーナメントリング６を挟み、内部に電気音響変換器であるドライバユニット５（図２及び図４参照）を挟んで前後方向に組み合わされて固定されている。
この固定には、容着や接着などの周知の固定方法が適用される。
【００１７】
前ハウジング１１ａの前部には、中心軸を水平斜め左前方に延びる中心軸線ＣＬ３として突出する筒状の音筒部１１ａ１が形成されている。
音筒部１１ａ１には、シリコーンゴムなどの柔軟材料で形成された既述のイヤーピース４が、着脱自在に装着される。
【００１８】
ドライバユニット５は、図４に示されるように、異径段付きの扁平円盤状を呈するケース５ａと、ケース５ａ内における前方側に取り付けられた振動板５ｂ（破線で図示）と、を有する。
【００１９】
ケース５ａの前面５ａ１には放音孔(不図示)が形成されている。振動板５ｂの振動で前方に出力された音は、この放音孔を通り、音筒部１１ａ１内及びイヤーピース４の内部を通過して外部（耳への装着状態では外耳道内）に放出される。
ケース５ａの後面５ａ２には、開口部５ａ２ａが形成されている。振動板５ｂの振動で後方に出力された音は、開口部５ａ２ａを通り、ドライバユニット５のバックキャビティである後方空間Ｖａに放出される。
【００２０】
後方空間Ｖａは、ケース５ａの後面５ａ２，後ハウジング１１ｂの内面１１ｂ１，ダクト部１２のダクト体ＤＴ（詳細は後述），及びコード３に囲まれて形成されている。
換言するならば、バックキャビティとなる後方空間Ｖａは、ドライバユニット５の後面５ａ２及びダクト部１２が面して形成されている。
ダクト体ＤＴは、複数の通気経路を有する（詳細は後述）。
後方空間Ｖａは、ダクト部１２において、選択板１５（詳細は後述）によって複数の通気経路の中から選択された通気経路以外、実質的に密閉されている。
【００２１】
ケース５ａの後面５ａ２には、一対の端子５ａ３，５ａ３が設けられている。
コード３は、ブッシング１３を通り、一端部が後方空間Ｖａ内に進入している。その端部から一対のリード線３ａ，３ａが延出し、結び玉Ｍを経て各端子５ａ３に電気的に接続されている。
【００２２】
次に、ダクト部１２について説明する。
図４において、ダクト部１２は、ダクト体ＤＴと、円板状の選択板１５と、概ね筒状に形成され、選択板１５及びダクト体ＤＴを収容可能なダクトケース１２ｃと、を含んで構成されている。
【００２３】
選択板１５は、ダクトケース１２ｃにおける本体部１から遠い側の端部に形成された開口部１２ｃ２から、大部分が外部に露出するように収容されている。
従って、選択板１５は、外部視認可能であり、いわゆる意匠性を付与してオーナメントプレートとしても機能するようになっている。
【００２４】
ダクトケース１２ｃは、本体部１から遠い側の端部に、中心軸線ＣＬ２に接近するよう径方向内方に全周で張り出した内フランジ部１２ｃ１と、内フランジ部１２ｃ１の内縁により形成された円形の開口部１２ｃ２と、を有する。
ダクトケース１２ｃは、内部に、本体部１側からダクト体ＤＴ、選択板１５を収容して、後ハウジング１１ｂに接着などによって固定されている。
ダクト体ＤＴは、ダクトケース１２ｃに固定されている。
選択板１５は、ダクトケース１２ｃ及びダクト体ＤＴに対し、中心軸線ＣＬ２まわりに回動可能とされている。
【００２５】
次に、ダクト体ＤＴについて詳述する。
ダクト体ＤＴは、円形のシート部材として形成された連通シート２１の（ｎ＋１）枚（ｎは１以上の整数）と、円板状に形成された第１ダクトプレート２２及び第２ダクトプレート２３の少なくともいずれか一方と、を有する。
【００２６】
連通シート２１は、図５に示されている。
第１ダクトプレート２２は、図６〜図８に示されている。
第２ダクトプレート２３は、図９及び図１０に示されている。
【００２７】
ここで用いている第１、第２は、単に、異なる２種のダクトプレートを区別するため名称に便宜的に付与したものであり、使用の優先度や配置の順番等を意味するものではない。
【００２８】
第１ダクトプレート２２及び第２ダクトプレート２３の各使用数は、ｎが偶数の場合、それぞれｎ／２個を使用し、ｎが３以上の奇数の場合、一方を〔（ｎ−１）／２＋１〕個、他方を（ｎ−１）／２個使用する。
ｎが１の場合は、いずれか一方の１個を使用する。
【００２９】
連通シート２１，第１ダクトプレート２２，及び第２ダクトプレート２３の詳細を、図５〜図１０を参照して説明する。
【００３０】
まず、連通シート２１は、図５に示されるように、樹脂シートにより円形シート状に形成されている。樹脂シートの材料は、例えばポリエチレンである。
連通シート２１は、３つの貫通孔である連通孔２１ａ，２１ｂ，２１ｃを有する。
連通孔２１ａ〜２１ｃは、連通シート２１の外径と同心の中心位置ＣＴ２１を中心とする直径Ｄａの円周上に中心を有し、それぞれ同じ内径Ｄｂで形成されている。
連通孔２１ａ〜２１ｃは、直径Ｄａの円周上に角度ピッチθａで形成されている。
【００３１】
次に、第１ダクトプレート２２について図６〜図８を参照して説明する。
図６は、第１ダクトプレート２２の平面図である。図７は、図６におけるＳ７−Ｓ７位置での断面図である。図８は、図６におけるＳ８−Ｓ８位置での断面図である。
【００３２】
第１ダクトプレート２２は、樹脂により円板状に形成されており、その外径は、連通シート２１の外径と同じである。樹脂例はポリカーボネートである。
第１ダクトプレート２２は、３つの貫通孔であるプレート連通孔２２ａ，２２ｂ，２２ｃを有する。
プレート連通孔２２ａ〜２２ｃは、第１ダクトプレート２２の外径と同心の中心位置ＣＴ２２を中心とする直径Ｄｃの円周上に中心を有し、それぞれ同じ内径Ｄｄで形成されている。
また、プレート連通孔２２ａ〜２２ｃは、直径Ｄｃの円周上に角度ピッチθｂで形成されている。
【００３３】
第１ダクトプレート２２は、図６における上半分の領域に形成された弧状溝２２ｄと、下半分の領域に形成された弧状溝２２ｅと、を有する。
【００３４】
弧状溝２２ｄは、プレート連通孔２２ａを弧の一端側（図６における左端側）とし、直径Ｄｃの半分の半径Ｒａで中心角１８０°の円弧状に形成されている。
弧状溝２２ｅは、プレート連通孔２２ｂを弧の一端側（図６における左端側）とし、半径Ｒａより大きい半径Ｒｂかつ中心角が１８０°未満の円弧状に形成されている。
【００３５】
従って、弧状溝２２ｄの円弧矢印で示された弧長Ｌｄは、弧状溝２２ｅの円弧矢印で示された弧長Ｌｅよりも長い。
【００３６】
弧状溝２２ｄ及び弧状溝２２ｅの断面形状は、例えば、図７に示されるように矩形とされる。
弧状溝２２ｄ及び弧状溝２２ｅは、図６における中心線ＬＮ２２に対し左右対称形状に形成され、かつ一端側（図６では左端）にのみそれぞれプレート連通孔２２ａ及びプレート連通孔２２ｂが設けられた溝とされている。
【００３７】
次に、第２ダクトプレート２３について図９及び図１０を参照して説明する。図９は、第２ダクトプレート２３の平面図である。図１０は、図９におけるＳ１０−Ｓ１０位置での断面図である。
【００３８】
第２ダクトプレート２３は、第１ダクトプレート２２に対し、プレート連通孔の位置のみが異なる。
具体的には、第２ダクトプレート２３は、樹脂により円板状に形成されており、その外径は、連通シート２１の外径と同じである。樹脂例はポリカーボネートである。
【００３９】
第２ダクトプレート２３は、３つの貫通孔であるプレート連通孔２３ａ，２３ｂ，２３ｃを有する。
プレート連通孔２３ａ〜２３ｃは、第２ダクトプレート２３の外径と同心の中心位置ＣＴ２３を中心とする直径Ｄｅの円周上に中心を有し、それぞれ同じ内径Ｄｆで形成されている。
また、プレート連通孔２３ａ〜２３ｃは、直径Ｄｅの円周上に角度ピッチθｃで形成されている。
【００４０】
第２ダクトプレート２３は、図９における上半分の領域に形成された弧状溝２３ｄと、下半分の領域に形成された弧状溝２３ｅと、を有する。
【００４１】
弧状溝２３ｄは、プレート連通孔２３ａを弧の一端側（図９における右端側）とし、直径Ｄｅの半分の半径Ｒｃで中心角１８０°の円弧状に形成されている。
弧状溝２３ｅは、プレート連通孔２３ｂを弧の一端側（図９における右端側）とし、半径Ｒｃより大きい半径Ｒｄかつ中心角が１８０°未満の円弧状に形成されている。
【００４２】
従って、弧状溝２３ｄの弧長は、弧長Ｌｄと等しく、弧状溝２２ｅの弧長は、弧長Ｌｅと等しい。
【００４３】
弧状溝２３ｄ及び弧状溝２３ｅの断面形状は、例えば、図１０に示されるように矩形とされる。
【００４４】
連通シート２１，第１ダクトプレート２２，及び第２ダクトプレート２３の各寸法は、ダクト体ＤＴに適用するために、次のように設定されている。
角度ピッチθａ＝θｂ＝θｃ＝４５°
直径Ｄａ＝Ｄｃ＝Ｄｅ
内径Ｄｂ≧Ｄｄ＝Ｄｆ
半径Ｒａ＝Ｒｃ、Ｒｂ＝Ｒｄ
【００４５】
これにより、連通シート２１，第１ダクトプレート２２，及び第２ダクトプレート２３を、それぞれの中心軸線ＣＬ２まわりの周方向位置（姿勢）を、所定の位置（姿勢）とし、厚さ方向に所定の順番で重ね合わせることで、それぞれの孔及び溝を、互いに対応させた状態にできる。この周方向位置の基準を、説明の便宜上、図５，６，９における矢印Ｑ１の方向としておく。
【００４６】
所定の順番について、ダクト体ＤＴの組立図である図１１（断面図としては図４）を参照して説明する。
【００４７】
図１１に示されるように、ダクト体ＤＴは、本体部１側から、連通シート２１，第１ダクトプレート２２，連通シート２１，第２ダクトプレート２３，連通シート２１，第１ダクトプレート２２，及び連通シート２１の合計７部品が積層されて構成されている。
ここで、同じ部材が複数積層されている場合の各部材を特定するため、符号を、本体部１側から、それぞれ連通シート２１１，第１ダクトプレート２２１，連通シート２１２，第２ダクトプレート２３１，連通シート２１３，第１ダクトプレート２２２，及び連通シート２１４とも称して区別する。
【００４８】
重ね合わせる各部材の周方向位置（姿勢）は、図１１に矢印Ｑ１で示される。
すなわち、図１１の矢視Ｙａ（中心軸線ＣＬ２における本体部１の反対側）から見たときに、連通シート２１１，２１３は、図５に示された姿勢に対して１８０°回転した姿勢とし、連通シート２１２，２１４は、図５に示された姿勢に対して時計回り方向に９０°回転した姿勢とする。
【００４９】
第１ダクトプレート２２１，２２２は、図６に示された姿勢に対して１８０°回転した姿勢とする。
第２ダクトプレート２３１は、図９に示された姿勢に対して１８０°回転した姿勢とする。
【００５０】
各部材をこのような周方向位置にして積層することで、連通シート２１の連通孔２１ｃと第１ダクトプレート２２のプレート連通孔２２ｃと第２ダクトプレート２３のプレート連通孔２３ｃとを連通させることができる。
また、連通シート２１の連通孔２１ｂと、第１ダクトプレート２２の弧状溝２２ｅと第２ダクトプレート２３の弧状溝２３ｅとを連通させることができる
また、連通シート２１の連通孔２１ａと第１ダクトプレート２２の弧状溝２２ｄと第２ダクトプレート２３の弧状溝２３ｄとを連通させることができる。
【００５１】
これにより、本体部１側の連通シート２１１の連通孔２１ａ〜２１ｃと、反対側の連通シート２１４の連通孔２１ａ〜２１ｃとは、それぞれ経路長の異なる３つの通気経路ＴＫａ〜ＴＫｃにより独立して連通される。
通気経路ＴＫａ〜ＴＫｃについては、図１７に模式図として示されている。図１７は、イヤホン５１の通気経路構成を説明するための模式図であり、その詳細は後述するが、次の通気経路ＴＫａ〜ＴＫｃの説明において理解を容易にすべく参照する。
【００５２】
通気経路ＴＫｃは、図１１に示されるように、連通シート２１１，２１２，２１３，２１４それぞれの連通孔２１ｃと、第１ダクトプレート２２１，２２２それぞれのプレート連通孔２２ｃと、第２ダクトプレート２３１のプレート連通孔２３ｃと、を連通する経路である。この経路は、中心軸線ＣＬ２と平行の直状経路となる（図１７も参照）。
【００５３】
図１７にも示されるように、通気経路ＴＫｃの経路長ＴＫＬｃは、概ね、連通シート２１の厚さｔ２１の４枚分と、第１ダクトプレート２２の厚さｔ２２の二つ分と、第２ダクトプレート２３の厚さｔ２３の一つ分となる。
すなわち、ＴＫＬｃ＝ｔ２１×４＋ｔ２２×２＋ｔ２３  である。
【００５４】
通気経路ＴＫｂは、図１２に示されるように、連通シート２１１，２１２，２１３，２１４それぞれの連通孔２１ｂと、第１ダクトプレート２２１，２２２それぞれのプレート連通孔２２ｂ及び弧状溝２２ｅと、第２ダクトプレート２３１のプレート連通孔２３ｂ及び弧状溝２３ｅと、を連通する経路である。
【００５５】
図１７にも示されるように、通気経路ＴＫｂの経路長ＴＫＬｂは、概ね、連通シート２１の厚さｔ２１の４枚分と、第１ダクトプレート２２の厚さｔ２２の二つ分と、第２ダクトプレート２３の厚さｔ２３の一つ分と、二つの弧状溝２２ｅ及び一つの弧状溝２３ｅに対応する弧長Ｌｅの三つ分と、を合計した長さとなる。
すなわち、ＴＫＬｂ＝ＴＫＬｃ＋Ｌｅ×３  である。
【００５６】
通気経路ＴＫａは、図１３に示されるように、連通シート２１１，２１２，２１３，２１４それぞれの連通孔２１ａと、第１ダクトプレート２２１，２２２それぞれのプレート連通孔２２ａ及び弧状溝２２ｄと、第２ダクトプレート２３１のプレート連通孔２３ａ及び弧状溝２３ｄと、を連通する経路である。
ダクト体ＤＴにおける通気経路ＴＫａの経路長ＴＫＬａは、概ね、連通シート２１の厚さｔ２１の４枚分と、第１ダクトプレート２２の厚さｔ２２の二つ分と、第２ダクトプレート２３の厚さｔ２３の一つ分と、二つの弧状溝２２ｄ及び一つの弧状溝２３ｄに対応する弧長Ｌｄの三つ分と、を合計した長さとなる。
すなわち、ＴＫＬａ＝ＴＫＬｃ＋Ｌｄ×３  である。
【００５７】
ここで、既述のように、弧長Ｌｅ＜弧長Ｌｄであるから、３つの経路長ＴＫＬａ〜ＴＫＬｃは、ＴＫＬｃ＜ＴＫＬｂ＜ＴＫＬａ  となる。
以下、この経路長の短中長に対応させて、通気経路ＴＫｃを短経路、通気経路ＴＫｂを中経路、通気経路ＴＫａを長経路などとも称する。
【００５８】
第１ダクトプレート２２の弧状溝２２ｄ及び弧状溝２２ｅ、並びに、第２ダクトプレート２３の弧状溝２３ｄ及び弧状溝２３ｅは、連通シート２１と共に積層されたダクト体ＤＴにおいて、厚さ方向の開口部分が連通シート２１によって塞がれて、横断面形状が例えば矩形に閉じた通気経路として機能する。
【００５９】
次に通気経路を選択する選択部材としての選択板１５について、図４及び斜視図である図１４を参照して説明する。
【００６０】
選択板１５は、円板状の基部１５ｋと、基部１５ｋの周縁部から径方向外方に全周に亘って張り出したフランジ部１５ｆ、を有する。
基部１５ｋには、中心位置ＣＴ１５から半径Ｒｅの位置を中心とする貫通孔１５ｂが形成されている。貫通孔１５ｂは、例えば直径Ｄｇの丸孔とされる。
直径Ｄｇは、連通シート２１４の連通孔２１ａ〜２１ｃの内径Ｄｂと同じか大きく設定されている。すなわち、Ｄｂ≦Ｄｇである。
また、基部１５ｋには、指を引っかけられるように突出した突出部１５ａが形成されている。
【００６１】
選択板１５は、図４に示されるように、フランジ部１５ｆが、ダクトケース１２ｃにおける内フランジ部１２ｃ１とダクト体ＤＴとの間に挟まれると共に、基部１５ｋがダクトケース１２ｃの開口部１２ｃ２に進入した状態で、ダクトケース１２ｃ及びダクト体ＤＴとの間にわずかな隙間をもって収容されている。
すなわち、選択板１５は、突出部１５ａを指で周方向に押すことで、中心軸線ＣＬ２まわりに回動可能となっている（図１における矢印ＤＲａ参照）。
【００６２】
選択板１５を回動させることで、貫通孔１５ｂと連通シート２１４の連通孔２１ａ〜２１ｃのそれぞれとが連通可能となっている。
換言するならば、選択板１５の回動位置に応じて、連通シート２１４の連通孔２１ａ〜２１ｃのいずれか一つを、貫通孔１５ｂを介して外部空間Ｖｇ（図４参照）と連通させることができる。
【００６３】
これにより、連通シート２１４の連通孔２１ａ〜２１ｃそれぞれに対応して形成された通気経路ＴＫａ〜ＴＫｃのいずれか一つを、いわゆる音響ダクトとして機能させるよう選択し、その選択した通気経路を介して、ドライバユニット５から後方空間Ｖａに出力された音を外部空間Ｖｇに放出させることができる。
【００６４】
図４は、貫通孔１５ｂが、連通シート２１４における連通孔２１ｃと連通した状態が示されている。
すなわち、選択板１５によって、３つの通気経路ＴＫａ〜ＴＫｃの内の通気経路ＴＫｃが選択され、ハウジング部１１内の後方空間Ｖａと外部空間Ｖｇとが選択された通気経路ＴＫｃを介して連通した状態が示されている。
【００６５】
図１及び図３に示されるように、ダクトケース１２ｃにおける内フランジ部１２ｃ１には、外部から視認可能なように、周方向に離隔して３箇所にマーク１２ｃ３が形成されている。
すなわち、選択板１５を、貫通孔１５ｂがマーク１２ｃ３に対応したところに位置するよう回動させることで、通気経路ＴＫａ〜ＴＫｃのいずれかを選択して機能させ、後方空間Ｖａと外部空間Ｖｇとを、経路長ＴＫＬａ〜ＴＫＬｃのダクト（通気経路）を介して連通するようになっている。
【００６６】
貫通孔１５ｂがマーク１２ｃ３からある程度外れたところに位置している場合（例えば中間位置）、貫通孔１５ｂは、連通シート２１４の連通孔２１ａ〜２１ｃのいずれとも重ならず、通気経路ＴＫａ〜ＴＫｃは外部空間Ｖｇと連通しない。
従って、イヤホン５１は、ダクトなし、及び、３種のダクト長の合計４種類のダクトモードを選択することができる。
【００６７】
選択板１５とダクトケース１２ｃとの間には、例えば凹凸係合を用いたクリック感発生部を設けてもよい。
これにより、貫通孔１５ｂと連通シート２１４の連通孔２１ａ〜２１ｃそれぞれとが連通する選択板１５の回動位置で、クリック感を発生させることができ、好ましい。
【００６８】
選択板１５は、上述のものを使用することに限定されず、例えば次に説明する選択板１５Ａに置き換えてもよい。
図１５は、選択板１５Ａの平面図（図１における中心軸線ＣＬ２方向から見た図に相当）である。
【００６９】
選択板１５Ａは、選択板１５における貫通孔１５ｂに相当する貫通孔１５Ａｄと、貫通孔１５Ａｄに対し、図１５における時計回り方向で１８０°〜２７０°の範囲に形成された円弧状孔１５Ａｃと、を有する。円弧状孔１５Ａｃの中心角θｄは、角度ピッチθａ（４５°）の２倍（９０°）とされる。
【００７０】
ダクト部１２において、選択板１５Ａは、選択板１５に置き換え可能である。選択板１５Ａは、ダクト部１２に対し選択板１５の替わりに適用したときに、選択板１５Ａの適宜の回動位置で、円弧状孔１５Ａｃを通して連通シート２１４の３つの連通孔２１ａ〜２１ｃの全てを同時に、外部空間Ｖｇに開放できるように形成されている。
また、選択板１５Ａの適宜の回動位置で、貫通孔１５Ａｄを通して連通孔２１ａ〜２１ｃを、一つずつ外部空間Ｖｇに開放できるようになっている。
【００７１】
これにより、選択板１５Ａを回動させることで、連通シート２１４における３つの連通孔２１ａ〜２１ｃの内の任意の孔を、外部空間Ｖｇに対して開放状態とし、それ以外の孔を閉塞状態にできる。
【００７２】
図１６は、連通シート２１４における３つの連通孔２１ａ〜２１ｃの開放モードを説明するための模式図である。図１６では、連通孔２１ａ〜２１ｃの内、円弧状孔１５Ａｃ又は貫通孔１５Ａｄによって外部空間Ｖｇに対し開放状態になっている孔を、黒丸で示してある。
すなわち、黒丸で示された連通孔に対応する通気経路を、イヤホン５１の音響ダクトとして機能させることができる。
【００７３】
図１６（ａ）は、円弧状孔１５Ａｃを、３つの連通孔２１ａ〜２１ｃを開放させる回動位置にして、３つの通気経路ＴＫａ〜ＴＫｃを同時に音響ダクトとして機能させる３経路並行動作モードを示している。
【００７４】
図１６（ｂ）は、円弧状孔１５Ａｃを、２つの連通孔２１ａ，２１ｂに対応させる回動位置にしたモードを示している。このモードでは、貫通孔１５Ａｄに対応する連通孔はない。
従って、このモードは、２つの通気経路ＴＫｂ及び通気経路ＴＫａを、音響ダクトとして同時に機能させる中長経路同時動作モードである。
【００７５】
図１６（ｃ）は、円弧状孔１５Ａｃを、２つの連通孔２１ｂ，２１ｃに対応させる回動位置にしたモードを示している。このモードも、貫通孔１５Ａｄに対応する連通孔はない。
従って、このモードは、２つの通気経路ＴＫｂ及び通気経路ＴＫｃを、音響ダクトとして同時に機能させる短中経路同時動作モードである。
【００７６】
図１６（ｄ）は、円弧状孔１５Ａｃを、１つの連通孔２１ａのみに対応させる回動位置にしたモードを示している。この回動位置で、貫通孔１５Ａｄは、連通孔２１ｃに対応する。
従って、このモードは、２つの通気経路ＴＫｃ及び通気経路ＴＫａを同時に音響ダクトして機能させる短長経路同時動作モードである。
【００７７】
図１６（ｅ）は、円弧状孔１５Ａｃを、１つの連通孔２１ｃのみに対応させる回動位置にしたモードを示している。この回動位置では、貫通孔１５Ａｄに対応する連通孔はない。
従って、このモードは、１つの通気経路ＴＫｃのみを音響ダクトとして機能させる短経路単独動作モードである。
【００７８】
図１６（ｆ）は、貫通孔１５Ａｄを連通孔２１ｂに対応させる回動位置にしたモードを示している。この回動位置では、円弧状孔１５Ａｃに対応する連通孔はない。
従って、このモードは、１つの通気経路ＴＫｂのみを音響ダクトとして機能させる中経路単独動作モードである。
【００７９】
図１６（ｇ）は、貫通孔１５Ａｄを連通孔２１ａに対応させる回動位置にしたモードを示している。この回動位置では、円弧状孔１５Ａｃに対応する連通孔はない。
従って、このモードは、１つの通気経路ＴＫａのみを音響ダクトとして機能させる長経路単独動作モードである。
【００８０】
図１６（ｈ）は、選択板１５Ａを、図１６（ｇ）に示される長経路単独動作モードの回動位置から図１６における反時計まわり方向に４５°回動させた回動位置でのモードを示されている。
この回動位置では、円弧状孔１５Ａｃ及び貫通孔１５Ａｄに対応する連通孔はなく、通気経路ＴＫａ〜ＴＫｃは外部空間Ｖｇに対し閉塞された状態となる。
従って、このモードは、イヤホン５１を、音響ダクトを有しない後方密閉型とするモードである。
【００８１】
これら８つのモード態様から明らかなように、各モードは、選択板１５Ａを、４５°の角度ピッチで回動させることで選択できる。
従って、ダクトケース１２ｃと選択板１５Ａとの間に、凹凸係合等の周知のクリック発生機構を設け、４５°の回動角度でクリック感が得られるようにするとよりよい。
【００８２】
以上詳述した、選択板１５又は選択板１５Ａと、通気経路ＴＫａ〜ＴＫｂと、を有するイヤホン５１の模式的ダクト図が、既出の図１７に示される。
図１７は、左右方向を中心軸線ＣＬ２の延びる方向に、上下方向を中心軸線ＣＬ２の直交方向に対応させると共に、右方にドライバユニット５を配置してダクト体ＤＴと選択板１５（１５Ａ）とを模式表記した図である。
【００８３】
図１７に示されるように、イヤホン５１は、ドライバユニット５の後面の開口部５ａ２ａと後方空間Ｖａとが連通し、後方空間Ｖａには、３つの通気経路ＴＫａ〜ＴＫｃの一方の端部が連通している。
通気経路ＴＫｃは、既述のように、直線状で示される。
通気経路ＴＫｂは、通気経路ＴＫｃに対し、弧長Ｌｅの三箇所分だけ経路が長くなっている。
通気経路ＴＫａは、通気経路ＴＫｃに対し、弧長Ｌｅよりも長い弧長Ｌｄの三箇所分だけ経路が長くなっている。
【００８４】
各通気経路ＴＫａ〜ＴＫｃの他方の端部には、弁部材ＶＢが接続されている。
弁部材ＶＢは、既述の例において選択板１５又は選択板１５Ａが該当する。
【００８５】
選択板１５を弁部材ＶＢとした場合、弁部材ＶＢは、通気経路ＴＫａ〜ＴＫｃを全て閉とするモードと、一つの経路のみを選択的に開にする３つのモードと、の４つのモードが得られる弁として機能する。
選択板１５Ａを弁部材ＶＢとした場合、弁部材ＶＢは、通気経路ＴＫａ〜ＴＫｃを全て閉とするモードと、１つの経路のみを選択的に開にする３つのモードと、任意の２つの経路を選択的に開にする３つのモードと、全ての経路を開にするモードと、の８つのモードが得られる弁として機能する。
【００８６】
換言するならば、弁部材ＶＢ（選択板１５，１５Ａ）は、通気経路ＴＫａ〜ＴＫｃそれぞれに配置された開閉弁ＶＢａ〜ＶＢｃを、所定の連動動作で開閉させるものである。
【００８７】
上述の構成のイヤホン５１は、通気経路を選択する選択部材として選択板１５（１５Ａ）を有する。この選択板１５（１５Ａ）は、ダクト部１２におけるオーナメントプレートでもあり、意匠性が付与されると共に通常の使用状態で視認容易な位置にある。
これにより、使用者は、選択されている通気経路の視認把握が容易である。
【００８８】
また、選択板１５（１５Ａ）は、ダクト部１２における本体部１から遠い側の面において、斜め上方に延びる中心軸線ＣＬ２に対し直交するように延在露出しており、他人から極めて視認把握され易い位置及び向きにある。
これにより、イヤホン５１が、音響ダクトとしての通気経路を選択可能で音質を調整できる、という機能を有することを、他人（消費者）にアピールし易く、イヤホン５１の商品力を高めることができる。
【００８９】
以上、詳述したように、イヤホン５１は、複数の通気経路ＴＫａ〜ＴＫｃを有し、そのいずれかを音響ダクトとして機能させることができるので、低音域において高い再生音圧が得られる。
【００９０】
また、イヤホン５１は、筐体から長く例えば煙突状に突出する音響ダクトではなく、本体部１から斜め上方に扁平の円柱状のダクト部１２が突出するのみなので、平易な外観を呈し、一般ユーザにとって受け入れ易い外観デザインが可能である。
【００９１】
また、選択板１５，１５Ａの選択設定により、異なる経路長の通気経路を選択設定できるので、収容するドライバユニットを変更しても、変更後のドライバユニットの特性に合わせた音質調整が可能である。また、音質調整作業は、選択板１５，１５Ａを回してその回動位置を変えるのみで音質確認ができるので、調整も容易である。
【００９２】
また、イヤホン５１は、ダクトケース１２ｃを共通とし、第１ダクトプレート２２及び第２ダクトプレート２３を、経路長の異なる通気経路を有する他のダクトプレートに置き換えることができる。これにより、外観を変えずに種々の音質調整が可能となる。従って、汎用性が高く生産効率も向上する。
【００９３】
また、イヤホン５１の設計及び製造段階で、イヤホン５１に搭載するドライバユニット５の特性に応じ、種々の経路長の通気経路を有するダクトプレートを選択設定して、再生周波数特性や増強すべき低音域の再生音圧を最適化することができる。
【００９４】
以上詳述した実施例は、上述の構成に限定されるものではなく、本発明の要旨を逸脱しない範囲において変形した変形例としてもよい。
【００９５】
連通シート２１，第１ダクトプレート２２，及び第２ダクトプレート２３は、厚さ方向に重ね合わせてダクト体ＤＴを構成する際に、周方向の姿勢（中心軸線ＣＬ２まわりの姿勢）が所定の姿勢となって通気経路ＴＫａ〜ＴＫｃが形成されるように、厚さ方向に凹凸係合させる構造にするとよい。
これにより、製造時に連通シート２１，第１ダクトプレート２２，及び第２ダクトプレート２３を重ね合わせる際に、単に凹凸係合させるだけで周方向の位置合わせができ、組み合わせ作業が容易となる。
【００９６】
第１ダクトプレート２２の弧状溝２２ｄ，２２ｅ及び第２ダクトプレート２３の弧状溝２３ｄ，２３ｅの形状（経路形状及び断面形状）は、上述の円弧状かつ断面矩形に限定されるものではなく、任意の形状にしてよい。
【００９７】
ダクト体ＤＴが有する通気経路の数は３つに限定されない。２つ或いは４つ以上の通気経路を有するものであってよい。
【００９８】
ダクト体ＤＴが有する複数の通気経路の経路長は、互いに異なっているものに限定されず、同じ経路長を有するものを含んでいてもよい。弁部材ＶＢを選択板１５とした場合は、同じ経路長の異なる通気経路を選択しても、出力音質の差は得にくいが、弁部材ＶＢを選択板１５Ａとした場合は、同じ経路長であっても、同時に機能する通気経路数を変えることができるので、出力音質の差が得られ音質調整が可能となる。
【００９９】
通気経路ＴＫａ〜ＴＫｃを例とする通気経路の、外部空間Ｖｇに対する開口位置は限定されない。例えば、中心軸線ＣＬ２を挟む二箇所としてもよい。
一方、弁部材ＶＢとして中心軸線ＣＬ２まわりに回動する選択板１５，１５Ａを説明したが、弁部材ＶＢによる通気経路の選択は、回動で行うものに限定されず、次に変形例として説明する態様であってもよい。
【０１００】
図１８は、弁部材ＶＢの変形例を説明するための図であって、中心軸線ＣＬ２の外方から変形例のダクト部１２Ａの要部を見た模式図である。
【０１０１】
ダクト部１２Ａのダクトケース１２Ａｃは、内フランジ部１２ｃ１の開口部１２Ａｃ２が円形ではなく、図１８（ａ）に示されるように、概ね長方形とされている。
この例では通気経路は二つであり、連通シート２１Ａ４には、実施例の連通孔２１ａ〜２１ｃに相当する二つの連通孔２１Ａａ，２１Ａｂが設けられている。
また、弁部材ＶＢとして、二つの選択板１５Ｂ１，１５Ｂ２が、ダクトケース１２Ａｃに対し不図示の係合構造によって着脱不能に取り付けられている。
【０１０２】
詳しくは、選択板１５Ｂ１，１５Ｂ２は、開口部１２Ａｃ２内を、開口部１２Ａｃ２の長手方向（図１８における上下方向）に、ある程度の摩擦力をもって独立して移動できるように取り付けられている。
【０１０３】
選択板１５Ｂ１，１５Ｂ２には、それぞれ突出した指掛かり部１５Ｂ３，１５Ｂ４が形成されており、開口部１２Ａｃ２内の移動を、指で容易に行えるようになっている。
【０１０４】
選択板１５Ｂ１，１５Ｂ２は、それぞれ二つの移動位置で図示しないクリック発生部によりクリック感を持って係止される。
具体的には、各選択板１５Ｂ１，１５Ｂ２は、それぞれ開口部１２Ａｃ２の中央部と端部との二箇所において、クリック感をもって離脱可能に係止される。
【０１０５】
連通孔２１Ａａ及び連通孔２１Ａｂは、それぞれ選択板１５Ｂ１及び選択板１５Ｂ２が中央部にあるときに開口し、端部にあるときに塞がれるようになっている。図１８では、開口している連通孔に、便宜的に黒丸を付して理解を容易にしている。
従って、二つの選択板１５Ｂ１及び選択板１５Ｂ２の二箇所の移動位置の組み合わせで、図１８（ａ）〜（ｄ）に示される四つのダクトモードが得られる。
【０１０６】
図１８（ａ）は、選択板１５Ｂ１及び選択板１５Ｂ２が共に中央位置にあって、連通孔２１Ａａ及び連通孔２１Ａｂが共に開口したダクトモードである。
図１８（ｂ）は、（ａ）に対し、選択板１５Ｂ２のみが端部位置にあって、連通孔２１Ａａが開口し、連通孔２１Ａｂが塞口したダクトモードである。
図１８（ｃ）は、（ａ）に対し、選択板１５Ｂ１のみが端部位置にあって、連通孔２１Ａａが閉口し連通孔２１Ａｂが開口したダクトモードである。
図１８（ｄ）は、（ａ）に対し、選択板１５Ｂ１及び選択板１５Ｂ２の両方が端部位置にあって、連通孔２１Ａａ及び連通孔２１Ａｂが共に閉口したダクトモードである。
【０１０７】
この例のように、弁部材ＶＢは、回動ではなく、中心軸線ＣＬ２に交差する一つの面に沿って移動させることで、異なる経路長の通気経路を音響ダクトとして選択設定できる。また、複数の通気経路の中から、複数の任意の組み合わせで通気経路を音響ダクトとして選択設定できる。また、通気経路を音響ダクトして設定しない選択肢も取り得る。
【０１０８】
従って、収容するドライバユニットを変更しても、変更後のドライバユニットの特性に合わせた音質調整が可能である。また、音質調整作業は、選択板１５Ｂ１，１５Ｂ２を、一つの面に沿う移動での位置変えのみで音質確認ができるので、調整も容易である。
【０１０９】
ダクト部１２（１２Ａ）は、弁部材ＶＢを、ダクト部１２（１２Ａ）に対し交換可能にする一方、交換用弁部材として異なる通気経路を開状態にする複数種類を予め用意しておいてもよい。
すなわち、ダクト部１２（１２Ａ）の弁部材ＶＢを、所望の交換用弁部材と交換することで通気経路の選択設定を行えるように構成してもよい。
【０１１０】
実施例及び変形例では、弁部材ＶＢとしての選択板１５（１５Ａ）（１５Ｂ１，１５Ｂ２）を、通気経路ＴＫａ〜ＴＫｃの出口側（後方空間Ｖａとは反対側）に配置したものを説明した。
弁部材ＶＢの配置位置は、これに限定されず、通気経路ＴＫａ〜ＴＫｃの途中、或いは、後方空間Ｖａ側に配置してもよい。
【０１１１】
イヤホン５１は、左右反転形状にした右耳用であってもよい。また、左耳用と右耳用とを備えたステレオイヤホンであってもよい。
【符号の説明】
【０１１２】
１  本体部
３  コード
４  イヤーピース
５  ドライバユニット（電気音響変換器）
５ａ  ケース、    ５ａ１  前面、    ５ａ２  後面、    ５ａ２ａ  開口部
５ａ３  端子、    ５ｂ  振動板
６  オーナメントリング
１１  ハウジング部
１１ａ  前ハウジング、    １１ａ１  音筒部、    １１ｂ  後ハウジング
１２，１２Ａダクト部
１２ｃ  ダクトケース、    １２ｃ１，１２Ａｃ１  内フランジ部
１２ｃ２，１２Ａｃ２  開口部
１２ｃ３  マーク
１３  ブッシング
１５，１５Ａ，１５Ｂ１，１５Ｂ２  選択板
１５Ａｃ  円弧状孔、    １５Ａｄ  貫通孔、    １５ａ  突出部
１５ｂ  貫通孔、    １５ｆ  フランジ部、    １５ｋ  基部
１５Ｂ３，１５Ｂ４  指掛かり部
２１，２１１〜２１４，２１Ａ４  連通シート
２１ａ，２１ｂ，２１ｃ，２１Ａａ，２１Ａｂ  連通孔
２２，２２１，２２２  第１ダクトプレート
２２ａ，２２ｂ，２２ｃ  プレート連通孔
２２ｄ，２２ｅ，２３ｄ，２３ｅ  弧状溝
２３，２３１  第２ダクトプレート
２３ａ，２３ｂ，２３ｃ  プレート連通孔
５１  イヤホン
Ｄａ，Ｄｃ，Ｄｅ，Ｄｇ  直径、    Ｄｂ，Ｄｄ，Ｄｆ  内径
ＣＬ１，ＣＬ２，ＣＬ３  中心軸線
ＣＴ１５，ＣＴ２１，ＣＴ２２，ＣＴ２３  中心位置
ＤＴ  ダクト体
Ｍ  結び玉
Ｌｄ，Ｌｅ  弧長
ＬＮ２２  中心線
Ｐ１  合わせ位置
Ｒａ，Ｒｂ，Ｒｃ，Ｒｄ，Ｒｅ  半径
ＴＫａ，ＴＫｂ，ＴＫｃ  通気経路
ＴＫＬａ，ＴＫＬｂ，ＴＫＬｃ  経路長
ｔ２１，ｔ２２，ｔ２３  厚さ
Ｖａ  後方空間(バックキャビティ)
ＶＢ  弁部材、    ＶＢａ〜ＶＢｃ  開閉弁
Ｖｇ  外部空間
θａ，θｂ，θｃ  角度ピッチ、    θｄ  中心角
【図１】
2018067793.tif 000003
【図２】
2018067793.tif 000004
【図３】
2018067793.tif 000005
【図４】
2018067793.tif 000006
【図５】
2018067793.tif 000007
【図６】
2018067793.tif 000008
【図７】
2018067793.tif 000009
【図８】
2018067793.tif 000010
【図９】
2018067793.tif 000011
【図１０】
2018067793.tif 000012
【図１１】
2018067793.tif 000013
【図１２】
2018067793.tif 000014
【図１３】
2018067793.tif 000015
【図１４】
2018067793.tif 000016
【図１５】
2018067793.tif 000017
【図１６】
2018067793.tif 000018
【図１７】
2018067793.tif 000019
【図１８】
2018067793.tif 000020